(57)【要約】【課題】金属疲労を抑える。【解決手段】バッテリーターミナル１０は、導電性の金属板から一体に連続して形成されたターミナル本体２０を備え、ターミナル本体２０は、バッテリーポスト１０１に嵌合して接続される円環状の締付部２１と、端子６０及びヒュージブルリンク５０に接続される２つの接続部２５，２６と、両接続部２５，２６と締付部２１との間に位置し、締付部２１の外周から径方向外向きに突出するつなぎ部２２とを備える。両接続部２５，２６は、夫々、つなぎ部２２を挟んで互いに反対側となる領域に配置されている。【選択図】図１
2008300205.tif 000002
【特許請求の範囲】
【請求項１】
導電性の金属板から一体に連続して形成されたターミナル本体を備え、
前記ターミナル本体は、
バッテリーポストに嵌合して接続される円環状の締付部と、
相手側の端子または電線に接続される２つの接続部と、
前記両接続部と前記締付部との間に位置し、前記締付部の外周から径方向外向きに突出するつなぎ部とを備え、
前記両接続部は、夫々、前記つなぎ部を挟んで互いに反対側となる領域に配置されていることを特徴とするバッテリーターミナル。
【請求項２】
前記両接続部は、前記締付部と略同一面上にあってバッテリーの上面に載置可能とされることを特徴とする請求項１に記載のバッテリーターミナル。
【請求項３】
前記両接続部のうちの一方にはヒュージブルリンクが接続されていることを特徴とする請求項２に記載のバッテリーターミナル。
【請求項４】
前記つなぎ部と前記両接続部との間には、前記つなぎ部から前記両接続部の夫々にかけて前記つなぎ部の突出方向と直角な方向で、かつ前記つなぎ部から互いに反対方向に延出されるアーム部が形成されており、夫々の前記アーム部の延出長さが異なることを特徴とする請求項３に記載のバッテリーターミナル。
【請求項５】
前記両接続部には前記端子に形成された接続孔に嵌合可能なボルトが立設されており、前記ボルトとナットとの間に前記端子を締め付けて固定することを特徴とする請求項１ないし請求項４のいずれかに記載のバッテリーターミナル。
【発明の詳細な説明】
【技術分野】
【０００１】
本発明は、自動車等に搭載されるバッテリーのバッテリーポストに接続されるバッテリーターミナルに関する。
【背景技術】
【０００２】
特許文献１に記載のバッテリーターミナルは、導電性の金属板から一体に連続して形成されたターミナル本体を備え、ターミナル本体は、バッテリーポストに嵌合して接続される円環状の締付部と、相手側の端子に接続される２つの接続部と、両接続部と締付部との間に位置し、締付部の外周から径方向外向きに突出するつなぎ部とを備えている。両接続部には貫通孔が形成され、ここにボルトが通されて端子の締め付けがなされる。つなぎ部は、バッテリーの角に沿って途中で直角に屈曲させられ、その垂下端に、二股に分岐された両接続部が一体に連なっている。両接続部の一方は、つなぎ部の突出方向の延長上に配置され、他方は、スリットを介して一方と並列に配置されている。
【特許文献１】特開２００５−１２９３７９公報
【発明の開示】
【発明が解決しようとする課題】
【０００３】
上記の場合、両接続部のうちの他方の接続孔とつなぎ部との間の距離が長いため、バッテリーポストに締付部を固定した後、他方の接続孔において端子の締め付け作業を行っているときに、つなぎ部に過大な応力が加わる可能性があった。そのため、つなぎ部の金属疲労を進行させるおそれがあった。
【０００４】
本発明は上記のような事情に基づいて完成されたものであって、金属疲労を抑えることを目的とする。
【課題を解決するための手段】
【０００５】
上記の目的を達成するための手段として、請求項１の発明は、導電性の金属板から一体に連続して形成されたターミナル本体を備え、前記ターミナル本体は、バッテリーポストに嵌合して接続される円環状の締付部と、相手側の端子または電線に接続される２つの接続部と、前記両接続部と前記締付部との間に位置し、前記締付部の外周から径方向外向きに突出するつなぎ部とを備え、前記両接続部は、夫々、前記つなぎ部を挟んで互いに反対側となる領域に配置されている構成としたところに特徴を有する。
【０００６】
請求項２の発明は、請求項１に記載のものにおいて、前記両接続部は、前記締付部と略同一面上にあってバッテリーの上面に載置可能とされるところに特徴を有する。  
請求項３の発明は、請求項２に記載のものにおいて、前記両接続部のうちの一方にはヒュージブルリンクが接続されているところに特徴を有する。
【０００７】
請求項４の発明は、請求項３に記載のものにおいて、前記つなぎ部と前記両接続部との間には、前記つなぎ部から前記両接続部の夫々にかけて前記つなぎ部の突出方向と直角な方向で、かつ前記つなぎ部から互いに反対方向に延出されるアーム部が形成されており、夫々の前記アーム部の延出長さが異なるところに特徴を有する。
【０００８】
請求項５の発明は、請求項１ないし請求項４のいずれかに記載のものにおいて、前記両接続部には前記端子に形成された接続孔に嵌合可能なボルトが立設されており、前記ボルトとナットとの間に前記端子を締め付けて固定するところに特徴を有する。
【発明の効果】
【０００９】
＜請求項１の発明＞
両接続部が夫々つなぎ部を挟んで互いに反対側となる領域に配置されているから、両接続部がいずれもつなぎ部を挟んだ片側に並列して配置されているものと比較すると、両接続部の夫々からつなぎ部までの距離を短くでき、接続部への接続作業中につなぎ部に過剰な応力が加わるのを防止できる。結果、金属疲労を抑えることができる。
【００１０】
＜請求項２の発明＞
接続部への接続作業中に加わる力がバッテリーの上面側に受け止められるから、金属疲労をより有効に抑えることができる。また、作業性が良好となる。  
＜請求項３の発明＞
つなぎ部の突出方向を挟んだ両側に両接続部が配置されるため、スペース効率が良好となり、両接続部のうちの一方側にヒュージブルリンクのような大きいユニットを支障なく設置できる。
【００１１】
＜請求項４の発明＞
例えば、延出長さの長いアーム部にはヒュージブルリンクの筐体を係合させることができ、延出長さの短いアーム部によって対応する接続部をマイナス側との干渉を回避可能な位置に引っ込めることができる。つまり、周辺状況に応じて適宜に対応できるから、汎用性に優れる。
【００１２】
＜請求項５の発明＞
両接続部の夫々のボルトに相手側の端子を引っ掛けて仮止めしておき、その状態でナットによる本止め作業を行うことができるから、作業性が良好となる。
【発明を実施するための最良の形態】
【００１３】
＜実施形態１＞
本発明の実施形態１を図１ないし図５によって説明する。本実施形態のバッテリーターミナル１０は、プレスによって所定形状に打ち抜いた導電性の金属板を曲げ加工して一体に連続して形成されたターミナル本体２０と、締付用及び接続用のボルト７０，８０とナット９０とを備えて構成されている。
【００１４】
ターミナル本体２０は、その全体がバッテリー１００の上面に載置可能とされ、締付部２１、つなぎ部２２、２つのアーム部２３，２４、及び２つの接続部２５，２６を各々略同一面上に並べて構成されている。
【００１５】
締付部２１は、バッテリー１００の上面に突成されたバッテリーポスト１０１（プラス側）に嵌合して接続されるものであって、円環状でかつ平面視略Ｃの字をなし、バッテリーポスト１０１の外周面に沿って回曲させられる。Ｃの字の切れ目に臨む締付部２１の両開口端には、垂直方向に対してやや傾斜しつつ互いに平行する締付片２７が径方向外向きに突出して形成されている。両締付片２７には、夫々、締付用のボルト７０の通し孔２８が同軸に連通して形成されており、ここにナット９０、ワッシャ９１を介して六角ボルト等のボルト７０が螺挿される（図２を参照）。ボルト７０の締め付けによって両締付片２７が接近し、かつ締付部２１が縮径させられて、バッテリーポスト１０１にターミナル本体２０の全体が取り付けられる。
【００１６】
つなぎ部２２は、締付部２１の外周のうちＣの字の切り目と対向する部位から径方向外向きに突出して形成されている。詳細にはつなぎ部２２は、締付部２１の下端に連なりつつバッテリー１００の上面に沿って敷かれる帯板状をなし、その突出方向の全長に亘って同幅をもって構成されている（図１を参照）。
【００１７】
両アーム部２３，２４は、つなぎ部２２と同一面上に連続する板面を有してつなぎ部２２の突出方向の先端部と直角に交わり、かつ、つなぎ部２２から互いに反対方向に延出される形態であって、つなぎ部２２との間にＴの字をなしている。両アーム部２３，２４のうちの一方はヒュージブルリンク５０に接続される第１接続部２５と対応した第１アーム部２３とされ、両アーム部２３，２４のうちの他方は電源供給用の端子６０に接続される第２接続部２６と対応した第２アーム部２４とされる。第１アーム部２３の延出端（第２アーム部２４とは反対側）は第１接続部２５に連なる一方、第２アーム部２４の延出端（第１アーム部２３とは反対側）は第２接続部２６に連なり、第１アーム部２３のほうが第２アーム部２４よりも短くなっている。そして、第１アーム部２３と第２アーム部２４は、つなぎ部２２の突出方向と直交する直線上で並び合う帯板状をなし、その延出方向の全長に亘って同幅をもって構成されている。
【００１８】
両接続部２５，２６は、上記したように、第１接続部２５と第２接続部２６とからなり、第２接続部２６がマイナスの電極寄りの位置に配され、夫々、つなぎ部２２の突出方向を挟んだ両側に配置されている。詳細には両接続部２５，２６は、夫々、同じ形状で、かつ同じ大きさをもち、軸芯を垂直上方に向けた接続用のボルト８０（スタットボルト）を内包して構成されている。より詳細には両接続部２５，２６は、つなぎ部２２の突出方向と平行に延びる延出片を複数回内曲げすることによって両アーム部２３，２４の延出方向に開放された四角筒状をなし、その内部に、ボルト８０の六角形の角頭部８１を回転規制状態で収容するボルト組付空間２９を有している（図４を参照）。接続部２５，２６の上面板３３には、ボルト８０の軸部８２が貫通する通し孔３１が開口して形成され、かつボルト８０の締め付け相手となるナット９０が載置可能となっている。なお、第２接続部２６は、第２アーム部２４の延出長さが短いことに起因し、正面視において締付部２１と部分的に重なり合っている（図２を参照）。
【００１９】
ヒュージブルリンク５０は、詳しくは図示しないが導電性の金属板を打ち抜き加工して形成され、入力側接続部５１と出力側接続部（図示せず）との間に、過電流が流れたときに溶断される溶断部（図示せず）を設けて構成されている。ヒュージブルリンク５０は溶断部側の部位を樹脂部５２によってモールドされており、樹脂部５２は、角ブロック状の筐体であって、ボルト８０の起立方向と平行する縦長の形態をなしている。入力側接続部５１は、樹脂部５２の端面から直角に突出する平面視方形の平板状をなし、第１接続部２５の上面板３３に載置され、かつ第１接続部２５とナット９０との間に挟持されて接続固定される。入力側接続部５１の中央には第１接続部２５に固定されたボルト８０を貫通させる接続孔５３が形成されている。ヒュージブルリンク５０（入力側接続部５１）が第１接続部２５に接続された状態では、樹脂部５２はバッテリー１００の側面に面当りして縦向きに配置されるようになっている。
【００２０】
また、樹脂部５２には、入力側接続部５１の一側縁に沿って回り止め部５４が形成されている。回り止め部５４は、ナット９０と端子６０との間に配置される方形状のワッシャ９５の回り止めをなすものであって、樹脂部５２の端面から第１アーム部２３の上方を横切るように突出し、第１接続部２５の第２接続部２６側の開口を塞ぐような縦壁状をなしている。第１アーム部２３には回り止め部５４の横断スペースが確保され、その分、第１アーム部２３の延出長さが長くなっている。
【００２１】
次に、本実施形態の作用を説明する。  
バッテリーターミナル１０をバッテリーポスト１０１に取り付ける際には、まず締付部２１の内径をバッテリーポスト１０１の外径より大きくした状態で締付部２１をバッテリーポスト１０１に外嵌する。続いて、締付用のボルト７０をナット９０にねじ込み、締付部２１を縮径変形させて、ターミナル本体２０をバッテリーポスト１０１に接続固定する。
【００２２】
次いで、第２接続部２６の接続用のボルト８０に、接続端部が目玉状（環状）をなす相手側の端子６０を貫通して保持させ、この仮止め状態でボルト８０にナット９０を螺合し、第２接続部２６の上面板３３とナット９０との間に端子６０を導通可能に挟持して本止めする。端子６０の第２接続部２６への接続作業と前後して、ヒュージブルリンク５０の第１接続部２５への接続作業を行う。それには、上記同様、ヒュージブルリンク５０の入力側接続部５１を第２接続部２６の接続用のボルト８０に貫通して保持させ、この仮止め状態でボルト８０にナット９０を螺合し、第１接続部２５の上面板３３とナット９０との間にヒュージブルリンク５０の入力側接続部５１を導通可能に挟持して本止めする。この間、ヒュージブルリンク５０は樹脂部５２とともにバッテリー１００の角に沿って位置決め状態で掛け止められるから、良好な作業性が確保される。なお、端子６０及びヒュージブルリンク５０の入力側接続部５１をボルト８０に仮止めした状態から両者５１，６０をまとめて本止めしても構わない。
【００２３】
本実施形態においては、両接続部２５，２６が夫々つなぎ部２２を挟んで互いに反対側となる領域に分かれて配置されているから、両者２５，２６ともつなぎ部２２を挟んだ片側に並列して配置されているものと比較すると、両接続部２５，２６の夫々からつなぎ部２２までの距離が短くなり、両接続部２５，２６に対する締め付けの接続作業によってつなぎ部２２やアーム部２３，２４に過剰な応力が加わるのを防止できる。その結果、つなぎ部２２やアーム部２３，２４の金属疲労が進行するのを抑えることができる。
【００２４】
この場合、両接続部２５，２６が締付部２１と同一面上に接続面を有しており、バッテリー１００の上面に載置可能とされるから、接続部２５，２６への接続作業に際して加わる力がバッテリー１００の上面側で受け止められる。その結果、金属疲労をより有効に抑えることができるとともに、上方からの接続作業によって作業性が良好となる。
【００２５】
また、両接続部２５，２６がつなぎ部２２の突出方向を挟んだ両側に配置され、つなぎ部２２と両アーム部２３，２４とで全体としてＴの字をなす形態であるから、両接続部２５，２６がスペース効率良く配置されることとなり、第１接続部２５側に、ヒュージブルリンク５０のような大きいユニットを第２接続部２６とは非干渉となる位置に支障なく設置できる。
【００２６】
さらに、両アーム部２３，２４の夫々の延出長さに長短があるため、相対的に長い第１アーム部２３にはヒュージブルリンク５０のような大きいユニットを係合させることができ、相対的に短い第２アーム部２４は第２接続部２６がマイナスの電極側と接触しないように引っ込めて位置させることができる。このように周辺の状況に応じて柔軟に対応できるので、汎用性が高められる。
【００２７】
さらにまた、両接続部２５，２６の夫々のボルト８０に端子６０及びヒュージブルリンク５０を引っ掛けて仮止めしておき、その状態でナット９０による本止め作業を行うことができるから、作業性が良好となる。
【００２８】
＜他の実施形態＞
本発明は上記記述及び図面によって説明した実施形態に限定されるものではなく、例えば次のような実施形態も本発明の技術的範囲に含まれる。  
（１）両アーム部の少なくともいずれか一方がなく、両接続部の少なくともいずれか一方がつなぎ部の側縁に直接に連なる形態であってもよい。  
（２）両接続部の少なくともいずれか一方は端子を介さずに電線に接続されてもよい。  
（３）第１接続部にヒュージブルリンクではなく電源供給用の目玉端子等が接続されてもよい。  
（４）両接続部の少なくともいずれか一方は接続用のボルトを貫通させる単なる孔であってもよい。
【図面の簡単な説明】
【００２９】
【図１】本発明の実施形態１において、ヒュージブルリンクを取り付けたバッテリーターミナルの平面図
【図２】ヒュージブルリンクを取り付けたバッテリーターミナルの正面図
【図３】ヒュージブルリンクを取り付けたバッテリーターミナルの断面図
【図４】ヒュージブルリンクを取り付けたバッテリーターミナルの側面図
【図５】バッテリーターミナルの背面図
【符号の説明】
【００３０】
１０…バッテリーターミナル
２０…ターミナル本体
２１…締付部
２２…つなぎ部
２３…第１アーム部（アーム部）
２４…第２アーム部（アーム部）
２５…第１接続部（接続部）
２６…第２接続部（接続部）
５０…ヒュージブルリンク
６０…端子
１００…バッテリー
１０１…バッテリーポスト
【図１】
2008300205.tif 000003
【図２】
2008300205.tif 000004
【図３】
2008300205.tif 000005
【図４】
2008300205.tif 000006
【図５】
2008300205.tif 000007